(57)【要約】【課題】作業者に装着して、作業者の前方を広範囲に照らすことができ、作業者の前方を照らすための種々の用途に柔軟に対応することができる作業用照明器具を提供すること。【解決手段】作業用照明器具１は、折曲げ変形可能な長尺状の基材２、基材２を被覆する被覆材２３、及び基材２の長尺方向Ｌにおける両側部分２２に配置された発光体３を備える。作業用照明器具１は、基材２の折曲げ変形を行った形状を維持して、作業者又は作業者が身に着ける物に装着して用いられる。【選択図】図１
0003201753.tif 000002
【実用新案登録請求の範囲】
【請求項１】
折曲げ変形可能な長尺状の基材と、
該基材を被覆し、該基材の折曲げ変形に伴って変形する被覆材と、
上記基材の長尺方向における中心部分を除く一方側部分又は両側部分において、上記長尺方向に並んで複数配置された発光体と、を備え、
上記基材の折曲げ変形を行った形状を維持して、作業者又は作業者が身に着ける物に装着して用いる、作業用照明器具。
【請求項２】
上記発光体へ電力を供給するための蓄電池をさらに備え、
該蓄電池と上記発光体とを接続する配線が、上記基材の中心部分から引き出されている、請求項１に記載の作業用照明器具。
【請求項３】
上記発光体は、上記基材の上記両側部分に配置されており、
上記基材は、１枚の帯鋼板を用いて構成されており、
上記基材の上記中心部分は、弾性変形可能な弾性部分によって構成され、上記基材の上記両側部分は、折曲げ変形を行った形状を維持可能な塑性部分によって構成されている、請求項１又は２に記載の作業用照明器具。
【請求項４】
上記基材の上記中心部分は、該基材の上記両側部分に繋がる一対の端部同士が最も接近したときに円弧形状を形成し、かつ上記一対の端部同士の間隔を変化させるようにして弾性変形可能である、請求項３に記載の作業用照明器具。
【請求項５】
上記基材の上記中心部分を中心にして該基材の上記両側部分が互いに対向するよう折り曲げられた状態で作業者の首に掛けられ、作業者の左右の胸部に配置された上記発光体によって作業者の前方を照らすよう構成されている、請求項１〜４のいずれか一項に記載の作業用照明器具。
【考案の詳細な説明】
【技術分野】
【０００１】
本考案は、夜間、光が差し込まない環境等における作業場を照らすための作業用照明器具に関する。
【背景技術】
【０００２】
夜間の工事現場等においては、作業者の存在を主張するための安全用の照明、手元をスポット的に照らすための照明、工事現場等を照らすための照明等が用いられている。作業者の首に掛ける照明としては、紐形状のもの、変形可能な棒形状のもの等が存在する。
例えば、特許文献１には、電池、ＬＥＤ及びスイッチを内蔵保持する本体と、軟質素材の首掛け用紐部とからなる首掛け用ＬＥＤ照明装置について開示されている。また、特許文献２には、耳に掛けて装着するための耳掛け部と、耳掛け部から前方に延設されて折曲変形自在の発光部とを備える装着型光照射装置について開示されている。
【先行技術文献】
【特許文献】
【０００３】
【特許文献１】特開２０１３−１７９０９９号公報
【特許文献２】特開２００７−２３６７８０号公報
【考案の概要】
【考案が解決しようとする課題】
【０００４】
しかしながら、人に装着する装着型の照明装置は、作業者の存在を示す程度、あるいは作業者の手元を照らす程度の明るさを有するものである。そのため、装着型の照明装置においては、作業者の前方を広範囲に照らすことは考慮されていない。また、照明装置を装着する部位が特定されており、形状を変形して種々の部位に装着するような工夫はなされていない。
【０００５】
本考案は、かかる課題に鑑みてなされたもので、作業者に装着して、作業者の前方を広範囲に照らすことができ、作業者の前方を照らすための種々の用途に柔軟に対応することができる作業用照明器具を提供しようとして得られたものである。
【課題を解決するための手段】
【０００６】
本考案の一態様は、折曲げ変形可能な長尺状の基材と、
該基材を被覆し、該基材の折曲げ変形に伴って変形する被覆材と、
上記基材の長尺方向における中心部分を除く一方側部分又は両側部分において、上記長尺方向に並んで複数配置された発光体と、を備え、
上記基材の折曲げ変形を行った形状を維持して、作業者又は作業者が身に着ける物に装着して用いる、作業用照明器具にある。
【考案の効果】
【０００７】
上記作業用照明器具は、折曲げ変形可能な長尺状の基材における一方側部分又は両側部分に発光体を配置して構成されている。この発光体は、基材の長尺方向に複数並んで配置されている。
作業用照明器具を使用する際には、作業用照明器具を使用する部位に応じて、基材の折曲げ変形を行い、この基材の折曲げ変形を行った形状を維持する。これにより、作業用照明器具を作業者又は作業者が身に着ける物に装着して用いる際には、発光体から発せられる光によって作業者の前方を広範囲に照らすことができる。
【０００８】
また、長尺状の基材を変形させる形状を適宜異ならせることによって、作業用照明器具は、作業者における種々の部位への用途、例えば首に掛ける用途、腰に掛ける用途等に用いることができる。また、作業用照明器具は、作業者が身に着ける物への用途、例えば作業服、ヘルメット等に装着する用途に用いることもできる。そのため、作業用照明器具は、作業者の前方を照らすための種々の用途に柔軟に対応することができる。
【０００９】
それ故、上記作業用照明器具によれば、作業者に装着して、作業者の前方を広範囲に照らすことができ、作業者の前方を照らすための種々の用途に柔軟に対応することができる。
【図面の簡単な説明】
【００１０】
【図１】実施形態１にかかる、作業用照明器具を示す説明図。
【図２】実施形態１にかかる、作業用照明器具における発光体の周辺を示す断面説明図。
【図３】実施形態１にかかる、作業用照明器具における基材を示す説明図。
【図４】実施形態１にかかる、作業用照明器具における他の基材を示す説明図。
【図５】実施形態２にかかる、作業用照明器具を示す説明図。
【図６】実施形態２にかかる、作業用照明器具における発光体の周辺を側方から見た状態で示す説明図。
【考案を実施するための形態】
【００１１】
以下に、上記作業用照明器具にかかる実施の形態を、図面を参照して説明する。
（実施形態１）
作業用照明器具１は、図１、図２に示すように、基材２、被覆材２３及び発光体３を備える。基材２は、折曲げ変形可能であり、長尺状に形成されている。被覆材２３は、基材２を被覆しており、基材２の折曲げ変形に伴って変形可能である。発光体３は、基材２の長尺方向Ｌにおける中心部分２１を除く両側部分２２において、長尺方向Ｌに並んで複数配置されている。
作業用照明器具１は、基材２の折曲げ変形を行った形状を維持して、作業者又は作業者が身に着ける物に装着して用いられる。
【００１２】
本形態の発光体３は、可撓性及び絶縁性を有するシート体３１と、発光ダイオード３２とを有している。シート体３１は、基材２の長尺方向Ｌにおける両側部分２２に配置されている。発光ダイオード３２は、シート体３１に長尺方向Ｌに並んで複数配置されており、発光体３の表面３０１から発光するものである。
【００１３】
図１に示すように、作業用照明器具１は、発光体３へ電力を供給するための蓄電池５を備えている。作業用照明器具１は、蓄電池５の放電が行われた後には、蓄電池５の充電を行うことによって、繰り返し使用することができる。蓄電池５は、作業者の腰付近に取り付けられる。
蓄電池５と、基材２の両側部分２２に配置された発光体３とを接続する配線５１は、基材２の中心部分２１から蓄電池５まで引き出されている。
【００１４】
図３、図４は、作業用照明器具１に用いられる基材２を示す。基材２の中心部分２１は、基材２の両側部分２２に繋がる一対の端部２１１同士が最も接近したときに円弧形状を形成している。これにより、基材２の中心部分２１を弾性変形させることが容易になる。また、本形態の基材２の中心部分２１は、図３に示すように、Ｕ字形状に曲がって形成されている。なお、基材２の中心部分２１は、Ｕ字形状に形成する以外にも、例えば、図４に示すように、円形状に形成することもできる。この場合にも、基材２の中心部分２１を弾性変形させることが容易になる。
基材２の中心部分２１は、作業者が作業用照明器具１を装着、離脱する際に、中心部分２１の一対の端部２１１同士の間隔を変化させるようにして弾性変形可能である。
【００１５】
基材２の中心部分２１には、配線５１から作業者を保護するための保護部材６が設けられている。保護部材６は、ウレタンスポンジ、クッション材等によって構成することができる。基材２における、中心部分２１及び両側部分２２の全体は、１枚の帯鋼板を用いて構成されている。帯鋼板は、樹脂又はゴムからなる被覆材２３によって被覆されたものとすることができる。１枚の帯鋼板から基材２を形成することにより、基材２の構造が簡単になり、折曲げ変形可能な基材２を容易に形成することができる。
【００１６】
図３に示すように、帯鋼板を用いて形成された基材２は、その中心部分２１と両側部分２２とにおいて帯鋼板が捩られた形状を有している。具体的には、基材２の中心部分２１においては、帯鋼板の端面２０２が前後方向に向けて配置されており、基材２の両側部分２２においては、帯鋼板の板面２０１（幅が広い表面）が前後方向に向けて配置されている。ここで、前後方向とは、作業者が作業用照明器具１を装着したときに、作業者の前後に位置する方向のことをいう。また、基材２の中心部分２１と両側部分２２とが捩られた形状は、図４に示す円形状の中心部分２１を有する場合についても同様である。
【００１７】
作業用照明器具１においては、基材２の中心部分２１と両側部分２２との性質を異ならせており、作業用照明器具１の使いやすさを向上させている。
具体的には、図３、図４に示すように、基材２の中心部分２１は、作業者又は作業者が身に着ける物への作業用照明器具１の装着を容易にするために、弾性変形可能な弾性部分によって構成されている。基材２の中心部分２１が弾性変形することにより、作業者が作業用照明器具１を装着するときには、作業者は、基材２の中心部分２１を中心にして、基材２の両側部分２２を左右に広げることができる。そして、作業者が作業用照明器具１を装着した後には、作業者が作業用照明器具１から手を放すことにより、基材２の中心部分２１を中心にして、基材２の両側部分２２が左右から中心側に復帰する。
【００１８】
一方、作業者が作業用照明器具１を離脱するときにも、作業者は、基材２の中心部分２１を中心にして、基材２の両側部分２２を左右に広げることができる。そして、作業者が作業用照明器具１を離脱した後には、作業者が作業用照明器具１から手を放すことにより、基材２の中心部分２１を中心にして、基材２の両側部分２２が左右から中心側に復帰する。
【００１９】
また、図３、図４に示すように、基材２の両側部分２２は、折曲げ変形を行った形状を維持可能な塑性部分によって構成されている。これにより、作業者又は作業者が身に着ける物に作業用照明器具１を装着したときに、シート体３１の表面３０１から発光する方向を変更するために、基材２の両側部分２２を容易に折曲げ変形させることができる。また、基材２の両側部分２２が塑性変形可能であることにより、作業用照明器具１を種々の用途に応じた形状に変形させることが容易になる。
【００２０】
図１、図２に示すように、発光体３のシート体３１は、可撓性を有する回路基板３１１と、回路基板３１１に形成された、複数の発光ダイオード３２に通電を行うための導体部３１２とを有している。複数の発光ダイオード３２は、シート体３１において長尺方向Ｌに等間隔に並んで配置されている。シート体３１の回路基板３１１における、発光ダイオード３２が配置された複数の特定部位３５の幅は、シート体３１の回路基板３１１における、発光ダイオード３２が配置された部位同士を結ぶ複数の中間部位３６の幅よりも大きい。これにより、シート体３１を折り曲げる際には、シート体３１が複数の中間部位３６において変形しやすくなり、複数の特定部位３５における発光ダイオード３２に応力が作用しにくくすることができる。
【００２１】
図１、図２に示すように、基材２における、発光体３と対向しない部分は、第１保護チューブ４Ａによって被覆されており、発光体３は、第２保護チューブ４Ｂによって被覆されている。また、帯鋼板からなる金属製の基材２の全体は、被覆材２３によって被覆されている。第１保護チューブ４Ａは、基材２と、回路基板３１１から蓄電池５まで伸びる配線５１の一部とを被覆している。第２保護チューブ４Ｂは、発光ダイオード３２から発せられる光を外部へ照射するために、透明又は半透明のチューブによって形成されている。第１保護チューブ４Ａ、第２保護チューブ４Ｂ、及び基材２の被覆材２３は、基材２の変形に伴って柔軟に変形できる可撓性を有するものであり、樹脂、ゴム等によって形成される。なお、第１保護チューブ４Ａと第２保護チューブ４Ｂとは、一つの部材によって構成して基材２及び発光体３の全体を被覆することもできる。
【００２２】
作業用照明器具１は、折曲げ変形可能な長尺状の基材２における両側部分２２に発光体３を配置して構成されている。この発光体３は、基材２の長尺方向Ｌに複数並ぶ発光ダイオード３２をシート体３１に配置して構成されており、発光ダイオード３２による光を、発光体３の表面３０１から発光するものである。
作業用照明器具１を使用する際には、作業用照明器具１を使用する部位に応じて、基材２の両側部分２２における塑性部分の折曲げ変形を行い、この基材２の折曲げ変形を行った形状を維持する。また、基材２の中心部分２１における弾性部分を弾性変形させて、作業用照明器具１を作業者又は作業者が身に着ける物に装着する。そして、作業用照明器具１を作業者又は作業者が身に着ける物に装着して用いる際には、発光体３の表面３０１から発せられる光によって作業者の前方を広範囲に照らすことができる。
【００２３】
また、長尺状の基材２を変形させる形状を適宜異ならせることによって、作業用照明器具１は、作業者における種々の部位への用途、例えば首に掛ける用途、腰に掛ける用途等に用いることができる。本形態の作業用照明器具１は、基材２の中心部分２１を中心にして基材２の両側部分２２が互いに対向するよう折り曲げられた状態で作業者の首に掛けられ、作業者の左右の胸部に配置された発光体３の発光ダイオード３２によって作業者の前方を照らすようにして使用する。特に、作業用照明器具１は、簡単な構造によって、作業者の前方を広範囲に照らすことができるために、首掛けの用途として最適である。
【００２４】
また、作業用照明器具１は、作業者が身に着ける物への用途、例えば作業服、ヘルメット等に装着する用途に用いることもできる。そのため、作業用照明器具１は、作業者の前方を照らすための種々の用途に柔軟に対応することができる。
それ故、作業用照明器具１によれば、作業者に装着して、作業者の前方を広範囲に照らすことができ、作業者の前方を照らすための種々の用途に柔軟に対応することができる。
【００２５】
（実施形態２）
本形態の発光体３は、図５、図６に示すように、発光ダイオード３２と、発光ダイオード３２を内部に配置するケース３３と、発光ダイオード３２同士を電気的に接続する電線３４とを有している。発光体３は、基材２の長尺方向Ｌにおける両側部分２２に配置されている。ケース３３は、基材２の両側部分２２に取り付けられており、電線３４は、基材２と並行して配置され、ケース３３同士を繋ぐ状態で設けられている。
また、基材２の中心部分２１と、蓄電池５と発光ダイオード３２とを接続する配線５１の一部とは、基材２の変形に伴って柔軟に変形できる保護チューブ４Ｃによって被覆されている。
【００２６】
本形態の発光体３によれば、基材２の両側部分２２における塑性部分を折曲げ変形させる際に、電線３４が容易に折れ曲がることにより、発光ダイオード３２に荷重が加わりにくくすることができる。これにより、発光ダイオード３２を断線等からより効果的に保護することができる。
本形態においても、作業用照明器具１のその他の構成及び図中の符号が示す構成要素は上記実施形態１と同様であり、上記実施形態１と同様の作用効果を得ることができる。
また、本発明は、上記各実施形態のみに限定されるものではなく、その要旨を逸脱しない範囲においてさらに異なる実施形態に適用することが可能である。
【符号の説明】
【００２７】
１  作業用照明器具
２  基材
２１  中心部分
２２  両側部分
２３  被覆材
３  発光体
５  蓄電池
５１  配線
Ｌ  長尺方向
【図１】
0003201753.tif 000003
【図２】
0003201753.tif 000004
【図３】
0003201753.tif 000005
【図４】
0003201753.tif 000006
【図５】
0003201753.tif 000007
【図６】
0003201753.tif 000008